(57)【要約】【課題】新規の球体の装填方法を実現することができるとともに、複数の球体を一気に発射することができ、ゲームの新しい展開を図ることができる球体発射玩具を提供すること。【解決手段】球体Ｂを装填する球体装填部５には球体を収容したカートリッジ２を装填したマガジン部材６を左右にスライドするように配置し、該マガジン部材６を上記球体装填部５に押し込んだときには上記カートリッジ２は弾き部材１０に対応する位置に移送され、上記マガジン部材６を引き出したときには、該マガジン部材６は上記球体装填部５に対し後方にスライド移動できるようになっており、後方に移動させた時には該マガジン部材６内のカートリッジ２に係合し、該カートリッジ２をマガジン部材６内から排出させる排出手段４１を上記球体装填部５に設けた。【選択図】図１
0003114867.tif 000002
【実用新案登録請求の範囲】
【請求項１】
玩具本体の内部に収容した球体を、弾き部材で玩具本体の前面に形成された発射口から発射する、以下の要件を備えることを特徴とする球体発射玩具。
（イ）上記球体は上記弾き部材の後方に配置された球体装填部に、該球体装填部に形成された供給口から装填され、該球体装填部に装填された球体は、球体装填部の後方に配置された押し出し部材の押し操作で弾き部材に供給され、該弾き部材で発射されること
（ロ）上記球体装填部には左右にスライドするマガジン部材を配置し、該マガジン部材には球体を収容したカートリッジが装填できるようになっていること
（ハ）上記マガジン部材を上記球体装填部から引き出したときには上記供給口が開口し、上記マガジン部材を上記球体装填部押し込んだときには上記カートリッジは球体装填部に対応する位置に移送されること
（ニ）上記マガジン部材を引き出したときには、該マガジン部材は上記球体装填部に対し後方にスライド移動できるようになっており、後方に移動させた時には該マガジン部材内のカートリッジに係合し、該カートリッジをマガジン部材内から排出させる排出手段を上記球体装填部に設けたこと
（ホ）上記カートリッジは先端が開口した有底筒状に形成され、後端には上記押し出し部材が貫入する貫通口が形成されていること
【請求項２】
前記マガジン部材には複数のカートリッジを収容した、請求項１記載の球体発射玩具。
【考案の詳細な説明】
【技術分野】
【０００１】
本考案は、球体発射玩具、詳しくは球体をカートリッジに収容し、該カートリッジを球体装填部に装填することにより球体を発射することができる球体発射玩具に関するものである。
【背景技術】
【０００２】
従来、球体を発射させる玩具として様々な球体発射玩具が本出願人より提案され、実用に供されている（例えば、特許文献１）。この球体発射玩具の基本的な構成は玩具本体に１対の弾き片を設け、この弾き片間にビー玉のような球体を収容した後、押出し部材を押すことによって弾き片の基部側から上記球体を強制的に押し出して弾き片の先端をその弾発力に抗して拡開させ、さらに押し出すことによって弾き片の弾性復元力により弾き片の先端から球体を前方に弾き出すことができるようにしたものである。
【特許文献１】特開平８−３３７７３号公報
【考案の開示】
【考案が解決しようとする課題】
【０００３】
本考案が解決しようとする問題点は、上述の球体発射玩具は発射する度に弾き片間に手で１つずつ球体を装填しなければならない点であった。
【０００４】
本考案は、上記問題点を解決し、新規の球体の装填方法を実現することができるとともに、複数の球体を一気に発射することができ、ゲームの新しい展開を図ることができる球体発射玩具を提供することを課題とする。
【課題を解決するための手段】
【０００５】
前記課題を解決するために本考案に係る球体発射玩具は、玩具本体の内部に収容した球体を、弾き部材で玩具本体の前面に形成された発射口から発射する、以下の要件を備えることを特徴とする。
（イ）上記球体は上記弾き部材の後方に配置された球体装填部に、該球体装填部に形成された供給口から装填され、該球体装填部に装填された球体は、球体装填部の後方に配置された押し出し部材の押し操作で弾き部材に供給され、該弾き部材で発射されること
（ロ）上記球体装填部には左右にスライドするマガジン部材を配置し、該マガジン部材には球体を収容したカートリッジが装填できるようになっていること
（ハ）上記マガジン部材を上記球体装填部から引き出したときには上記供給口が開口し、上記マガジン部材を上記球体装填部押し込んだときには上記カートリッジは球体装填部に対応する位置に移送されること
（ニ）上記マガジン部材を引き出したときには、該マガジン部材は上記球体装填部に対し後方にスライド移動できるようになっており、後方に移動させた時には該マガジン部材内のカートリッジに係合し、該カートリッジをマガジン部材内から排出させる排出手段を上記球体装填部に設けたこと
（ホ）上記カートリッジは先端が開口した有底筒状に形成され、後端には上記押し出し部材が貫入する貫通口が形成されていること
なお、前記マガジン部材には複数のカートリッジを収容し、順番にカートリッジ内の球体を発射できるようにすることが好ましい。
【考案の効果】
【０００６】
請求項１の考案によれば、球体装填部に直接球体を装填するか、球体を収容したカートリッジを装填するかを自由に選択することができ、単に球体を発射するだけではなく発射する球体の装填方法を選択することができる、しかも発射し終わって空になったカートリッジはマガジン部材のスライド操作だけで簡単に排出することができ、球体発射の遊びに変化を与えることができる球体発射玩具を実現することができる。
【０００７】
請求項２の考案によれば、マガジン部材に複数のカートリッジを装填したので発射し終わって空になったカートリッジは排出され、新しいカートリッジに収容されている球体を発射することができる。
【考案を実施するための最良の形態】
【０００８】
図１（ａ）（ｂ）は、本考案に係る球体発射玩具Ａの一例を示す正面側斜視図及び背面側斜視図を示し、この球体発射玩具Ａはロボットを模して形成され、玩具本体である胴体部１の側面には球体Ｂを収容するカートリッジ２がホルダー３に着脱可能に保持され、胴体部１の背面に連設された球体装填部５にはマガジン部材６が左右方向にスライド可能に配置されている。
【０００９】
上記球体装填部５の上面には球体Ｂを球体装填部５内に供給する供給口７が形成され、供給口７から供給した球体は胴体部１内に配置された弾き部材１０の後方に位置し、押し出し部材１１を前方に押し操作することにより弾き部材１０によって胴体部２の前面に形成された発射口１２から球体Ｂを発射することができるようになっているものである。
【００１０】
上記弾き部材１０は一対の弾き片で構成され、この弾き片の先端部間の間隔は弾き出される球体Ｂの直径よりも小さくなるように設定され、球体Ｂを押し出し部材１１で前方に押し出すことにより弾き片を押し広げ、球体Ｂの直径が弾き片の先端を通過した瞬間、弾き片の復元弾発力で球体Ｂを前方に弾き出すことができる公知の弾き部材で構成されている。
【００１１】
球体装填部５は、図２（ａ）に示すように、左側面が開口した箱状に形成され、この開口部１５にマガジン部材６を差し込むことにより、マガジン部材６は球体装填部５に左右にスライドできるように保持されるようになっており、前面の開口部１６は胴体部１の背面側に形成された開口部１７に連通するように胴体部１と球体装填部５とは連結されている。
【００１２】
そして、球体装填部５の後部には押し出し部材１１の前部が差し込まれ、スプリング１８で後方に突出するように付勢されている。なお、符号１９は押し出し部材１１を押し込むときの親指をあてがうトリガーを示し、符号２０は人差し指を掛けるグリップを示す（図２（ｃ）参照）。
【００１３】
マガジン部材６は、図２（ｂ）に示すように、手で球体を収容する球体収容凹部２１と、球体を収容したカートリッジ２を装填するカートリッジ装填部２２とで構成され、球体収容凹部２１とカートリッジ装填部２２とは互いの対向面に形成された係合溝２３で連結されるとともに、係合溝２３を介してカートリッジ装填部２２は球体収容凹部２１に対して前後方向にスライドできるように連結されている。
【００１４】
そして、カートリッジ装填部２２の前面には、カートリッジ２を装填するための装填口２４が形成され、この装填口２４に対応するカートリッジ装填部２２の後部壁面と、球体収容凹部２１の後部壁面とにはカートリッジ２に収容した球体、若しくは球体収容凹部２１内に収容した球体を弾き部材１０に向かって押し出すために上記押し出し部材１１の先端を進入させる進入口（図示せず）が形成されている。
【００１５】
なお、符号３４は後述する球体装填部５の側面に形成された排出手段である係合凸部４１をカートリッジ装填部２２内に進入させるための開口部である。
【００１６】
そして、マガジン部材６を球体装填部５から引き出した時には、開口部１６に球体収容凹部２１が対応し、マガジン部材６を球体装填部５に押し込んだときには、カートリッジ装填口２４が開口部１６に対応するようになっている。
【００１７】
図３（ａ）（ｂ）は、カートリッジ２の正面側斜視図、背面側斜視図を示し、このカートリッジ２は、前面２ａが開口した有底筒状で、内部に複数の球体Ｂ（本考案では２個）を収容できるようにしたものである。前部には上下に一対の撓み板２５が形成され、外力を加えない限り収容した球体Ｂが出ないようにこの撓み板２５の先端内側面は内方に膨出している。そして、後端部の周面には係合溝２６が周設され、この係合溝２６には後端面に向かって切欠き部２７が２箇所対向して形成され、カートリッジ２をホルダー３に保持させる際、切欠き部２７をホルダー３のガイド凸部２３に対応させて押し込み、その後回動するとガイド凸部２３が係合溝２６に係合して外れないようになっている。
【００１８】
カートリッジ２の底部２ｂには十字状の貫通口２８が形成されている。この貫通口２８は押し出し部材１１先端を進入させるためのもので、この貫通口２８に連設してガイド凹部２９が形成されている。
【００１９】
このカートリッジ２に球体Ｂを収容する場合は、図３（ｃ）に示すように、前面の開口部から球体Ｂを押し込むようにして収容する。この時、球体Ｂは撓み板２５を押し退けながら収容され、一旦収容された球体Ｂは、撓み板２５で飛び出しが阻止されるようになっている（図３（ｄ）参照）。
【００２０】
そして、上記カートリッジ装填部２２には、図２（ｂ）に示すように、長手方向にスライド可能に配置された押圧板３０が配置されている。この押圧板３０にはカートリッジ装填部２２の前面に突出したレバー３１が一体に形成され、このレバー３１を外側にスライド操作することにより図示しないスプリングを圧縮させながら押圧板３０を外側にスライド移動させることができるようになっている。
【００２１】
図４（ａ）に示すように、レバー３１を外側にスライドさせると、押圧板３０はカートリッジ装填部２２内をレバー３１とともに外方に移動し、レバー３１がフック３２に係止されると、押圧板３０はカートリッジ装填部２２の最奥部まで移動することになるので、装填口２４から装填したカートリッジ２は発射玩具Ａを傾けることにより押圧板３０に当接するまで移動する。同様にして、カートリッジ装填部２２には最大３個のカートリッジ２を装填することができる。
【００２２】
カートリッジ２の装填が完了したら、レバー３１を押し下げるとフック３２によるレバー３１の係止が解除されるので、図示しないスプリングに付勢されて押圧板３０は内側に移動してカートリッジ２を球体収容凹部２１側に押圧した状態にする（図４（ｂ）参照）。
【００２３】
次に、上記構成の球体発射玩具Ａの使用態様について説明する。
【００２４】
この球体発射玩具Ａは、球体Ｂを直接球体装填部５に装填する場合と、カートリッジ２に球体Ｂを収容し、このカートリッジ２を球体装填部５に装填する場合との２つの装填の仕方を自由に選択することができる。
【００２５】
先ず、球体Ｂを直接、球体装填部５に装填する場合は、図５（ａ）に示すように、マガジン部材６を引き出す。マガジン部材６は図示しないスタビライザで球体収容凹部２１が球体装填部５の供給口７に対応した位置で止まるので、球体Ｂを供給口７から投入する。投入された球体Ｂは球体収容凹部２１内に収容された状態で安定しているので、トリガー１９に親指を、グリップ２０に人差し指をあてがって押し出し部材１１を一気に押し込む。
【００２６】
押し出し部材１１の先端は、球体収容凹部２１内に進入し、球体収容凹部２１内の球体Ｂを前方に押し出し、弾き部材１０によって前方に発射することができる。この場合は、供給口７から装填した１個の球体Ｂのみが発射される。
【００２７】
引き続き球体を発射させる場合は、再び球体Ｂを供給口７に投入し、押し出し部材１１を押し込めばよい。
【００２８】
次に、カートリッジ２に収容した球体を発射する場合について説明する。先ず、マガジン部材６を引き出してカートリッジ装填部２２の装填口２４が開放された状態にし、レバー３１をフック３２に引っかかるまで外側に一杯にスライドさせ、押圧板３０をスプリングに抗してカートリッジ装填部２２の最奥部まで移動させた後、球体Ｂを収容したカートリッジ２を、図６（ａ）に示すように、装填口２４からカートリッジ装填部２２内に差し込む。この時、図６（ｂ）に示すように、カートリッジ装填部２２に形成された係合凸片３５に係合溝２６を係合させながら前に倒すとガイド凹部２９がカートリッジ装填部２２の内壁面に横方向に連続して形成されたガイド板３６に噛み合い、図６（ｃ）（ｄ）に示すように、カートリッジ装填部２２内に安定した状態で収容することができる。
【００２９】
カートリッジ２を球体装填部５に装填する場合は、図５（ｂ）に示すように、マガジン部材６を球体装填部５に押し込むと、カートリッジ装填部２２の装填口２４が開口部１６に対応した位置になる。この状態では、カートリッジ２の前面は球体装填部５の開口部１６に対応し、背面は貫通口２８が押し出し部材１１の先端に対応する位置になっているので、トリガー１９に親指をあてがい、グリップ２０に人差し指をあてがって押し出し部材１１を一気に押し込む。
【００３０】
押し出し部材１１の先端は、カートリッジ２の貫通口２８からカートリッジ２内に進入し、カートリッジ２内に収容された２個の球体Ｂを同時に前方に押し出し、図７（ａ）に示すように、連続して２個の球体Ｂを発射することができる。
【００３１】
発射し終わったカートリッジ２´は空なので、この空のカートリッジ２´を排出する必要がある。空のカートリッジを排出するためには、先ず、図８（ａ）に示すように、マガジン部材６を引き出す。この状態では、図９（ａ）に示すように、空のカートリッジ２´はカートリッジ装填部２２内に保持されている。
【００３２】
次に、図９（ｂ）に示すように、球体装填部５の側面に形成されたガイド溝４０に沿ってカートリッジ装填部２２を後方にスライドさせ、さらにスライドさせると球体装填部５の側面に形成された係合凸部４１が、カートリッジ装填部２２の背面に形成された開口部３４からカートリッジ装填部２２内に進入し、空のカートリッジ２´を押圧するので、カートリッジ２´は係合凸片３５を支点に上方に回動を始め、さらにカートリッジ装填部２２を後方にスライドさせると、係合凸部４１が完全に後方にカートリッジ装填部２２内に進入し、図９（ｄ）に示すように、空のカートリッジ２´がカートリッジ装填部２２から完全に排出される（図７（ｂ）、図８（ｂ）参照）。
【００３３】
空のカートリッジ２´が排出されると、押圧板３０に押されて球体が収容された新しいカートリッジが装填口２４側に移動してくるので、カートリッジ装填部２２を前方にスライド移動させ、カートリッジ装填部２２を球体装填部５に押し込むと、球体を収容したカートリッジの前面は球体装填部５の開口部１６に対応し、背面は貫通口２８が押し出し部材１１の先端に対応する位置になっているので、トリガー１９に親指をあてがい、グリップ２０に人差し指をあてがって押し出し部材１１を一気に押し込めば、再び球体を連射することができるので、発射し終わって空になったカートリッジは、マガジン部材６を引き出し、カートリッジ装填部２２を後方にスライド移動させれば、空のカートリッジを排出することができ、新たなカートリッジを装填口２４にセットできるので連続して球体を発射することができる。
【００３４】
上述したように、球体Ｂを直接球体装填部５に装填する場合と、予めカートリッジ２に球体Ｂを収容しておき、このカートリッジ２を球体装填部５に装填する場合とが自由に選択することができ、しかもマガジン部材６には３個のカートリッジ２を収容することができ、発射し終わった空のカートリッジの排出も簡単にできるので状況に応じて１つの球体を発射するのか、２つの球体を同時に発射するのか、しかも繰り返し２つの球体を同時発射するのか等、発射の仕方を自由に選択することができ、ゲームの展開の仕方が画一的ではなくなり、興味深い球体発射玩具を実現することができる。
【図面の簡単な説明】
【００３５】
【図１】（ａ）（ｂ）は本考案に係る球体発射玩具の正面側斜視図及び背面側斜視図
【図２】（ａ）〜（ｃ）は球体装填部とマガジン部材との関係を示す斜視図
【図３】（ａ）〜（ｄ）はカートリッジの構造を説明する斜視図及び球体を収容する状態の説明図
【図４】（ａ）（ｂ）はカートリッジ装填部にカートリッジを装填する状態を説明する正面図
【図５】（ａ）（ｂ）はカートリッジを使用しないで球体を発射する状態とカートリッジを使用して球体を発射する状態を説明する平面図
【図６】（ａ）〜（ｄ）はカートリッジ装填部にカートリッジを装填する状態を説明する斜視図及びカートリッジ装填部の断面図
【図７】（ａ）（ｂ）はカートリッジを使用して球体を発射する状態を説明する背面側斜視図及び、カートリッジが排出される状態を説明する背面側斜視図
【図８】（ａ）（ｂ）はカートリッジを排出する過程を説明する平面図
【図９】（ａ）〜（ｄ）はカートリッジが排出される過程を説明するカートリッジ装填部の断面図
【符号の説明】
【００３６】
１    玩具本体（胴体部）
２    カートリッジ
５    球体装填部
６    マガジン部材
７    供給口
１０    弾き部材
１１    押し出し部材
１２    発射口
４１    係合凸部（排出手段）
【図１】
0003114867.tif 000003
【図２】
0003114867.tif 000004
【図３】
0003114867.tif 000005
【図４】
0003114867.tif 000006
【図５】
0003114867.tif 000007
【図６】
0003114867.tif 000008
【図７】
0003114867.tif 000009
【図８】
0003114867.tif 000010
【図９】
0003114867.tif 000011